(57)【要約】【課題】デジタル放送受信装置の電源を入れてから映像又は音声が出力されるまでの起動時間を短縮する。【解決手段】選局復調部１０５は、アンテナ１０４によって受信されたデジタル放送の放送波に対して選局復調処理を行う。マイコン１０２は、不揮発性メモリ１０１に格納されたデータをアクセスバス１８１ａを介して読み出し、読み出したデータに含まれるプログラムを揮発性メモリ１０３に格納し、実行する。アクセスバス１８１ａの転送データは、選局復調部１０５に取り込めるように構成され、選局復調部１０５は、アクセスバス１８１ａの転送データから、選局復調処理に用いるパラメータを認識し、取得する。【選択図】図２
2011087124.tif 000002
【特許請求の範囲】
【請求項１】
デジタル放送を受信し、映像及び音声を出力するデジタル放送受信装置であって、
アンテナによって受信されたデジタル放送の放送波に対して選局復調処理を行う選局復調部と、
前記選局復調部による復調後のデータに対して映像処理及び音声処理を行う映像音声処理部と、
前記選局復調部及び映像音声処理部を含む、当該デジタル放送受信装置の機能を制御するものであり、不揮発性メモリに格納されたデータをアクセスバスを介して読み出し、読み出したデータに含まれるプログラムを揮発性メモリに格納し、実行するプロセッサとを備え、
前記アクセスバスの転送データが、前記選局復調部に取り込めるように構成されており、
前記選局復調部は、
前記アクセスバスの転送データから、前記選局復調処理に用いるパラメータを認識し、取得する機能を有することを特徴とするデジタル放送受信装置。
【請求項２】
請求項１のデジタル放送受信装置において、
前記プロセッサは、前記不揮発性メモリから読み出すデータのアドレスを前記アクセスバスに出力し、
前記選局復調部は、前記プロセッサによって出力されたアドレスが所定の値となるデータを前記パラメータとして取得することを特徴とするデジタル放送受信装置。
【請求項３】
請求項１のデジタル放送受信装置において、
前記プロセッサは、前記不揮発性メモリから読み出すデータのアドレスを出力し、
前記アクセスバスは、前記アドレスと、ライトデータ及びリードデータの少なくとも一方との転送に兼用され、
前記選局復調部は、前記アクセスバスを通過するデータ自身が所定の値になったとき、又は前記アクセスバスとは異なる信号経路を通過する制御信号が所定の条件を満たしたときにアクセスバスを通過するデータを前記パラメータとして取得することを特徴とするデジタル放送受信装置。
【請求項４】
請求項２又は３のデジタル放送受信装置において、
前記所定の値又は所定の条件が変更可能であることを特徴とするデジタル放送受信装置。
【請求項５】
請求項１のデジタル放送受信装置において、
前記不揮発性メモリには、前記選局復調処理にパラメータとして使用可能なデータが複数組格納されているとともに、各組のデータについてエラーの有無を示すエラー情報が格納され、
前記選局復調部は、前記アクセスバスの転送データから、前記不揮発性メモリに格納されたエラー情報によりエラー無しと示されたデータを、前記選局復調処理に用いるパラメータとして認識し、取得する機能を有することを特徴とするデジタル放送受信装置。
【請求項６】
請求項１のデジタル放送受信装置において、
前記アクセスバスの転送データが、前記映像音声処理部に取り込めるように構成されており、
前記映像音声処理部は、
前記アクセスバスの転送データから映像処理又は音声処理に用いるパラメータを認識し、取得する機能を有することを特徴とするデジタル放送受信装置。
【発明の詳細な説明】
【技術分野】
【０００１】
本発明は、デジタル放送を受信し、映像及び音声を出力するデジタル放送受信装置に関するものである。
【背景技術】
【０００２】
昨今、テレビ放送を中心として、放送のデジタル化が世界的に進んでいる。放送方式は国や地域によって異なるが、多くの放送方式では、映像データ、音声データ、及びその他の付加データ（データ放送用データ、番組情報等）が、多重化／圧縮化／データ冗長化されて搬送波にのせて放送される。これにより、少ない無線バンド幅で大量のデータを正確に送受信することが可能となり、多チャンネル化、高精細化、高音質化、付加放送等が実現される。
【０００３】
一方、テレビジョン装置等、デジタル放送を受信するデジタル放送受信装置は、映像や音声などを出力するまでに、多重化データの分離処理、圧縮データの伸張処理、データの欠落・誤りの検出・修復等を行うように構成される。
【０００４】
このようなデジタル放送受信装置の例が、特許文献１に開示されている。特許文献１のデジタル放送受信装置においては、制御・演算部が復調部に対して放送局に関するパラメータの設定を行った後に、復調部による復調動作が開始され、復調部による復調後のデータに基づいて映像及び音声が出力される。
【先行技術文献】
【特許文献】
【０００５】
【特許文献１】特開２００６−１５７５９５号公報
【発明の概要】
【発明が解決しようとする課題】
【０００６】
上述のように、一般的なデジタル放送受信装置は、分離処理、伸張処理、データの欠落・誤りの検出・修復等、大量の情報処理を行うので、一般的なアナログ放送受信装置と比較して、電源を投入してから映像や音声を画面やスピーカから出力するまでの時間が長くなる。このことは、データ誤りに強い放送方式を採用する等、デジタル放送受信装置の性能を向上させる程、情報処理量の増大によって顕著になる。
【０００７】
また、上記特許文献１のような制御・演算部による復調部に対するパラメータの設定は、一般的に、プログラムの実行により行われる。その際、パラメータの設定前にあらかじめ不揮発性メモリからプログラムが揮発性メモリに転送されて格納される。
【０００８】
しかしながら、このようにパラメータを設定する場合、不揮発性メモリから揮発性メモリへのプログラムの転送と、プログラムの実行によるパラメータの設定とを完了するまで復調部による復調動作を開始できない。したがって、デジタル放送受信装置の電源投入から復調動作開始までの時間が長くなり、その結果、電源が投入されてから映像及び音声が出力されるまでの起動時間が長くなる。
【０００９】
本発明は、上記の点に鑑み、デジタル放送受信装置の電源を入れてから映像又は音声が出力されるまでの起動時間を短縮することを目的とする。
【課題を解決するための手段】
【００１０】
上記の課題を解決するため、本発明は、デジタル放送を受信し、映像及び音声を出力するデジタル放送受信装置であって、アンテナによって受信されたデジタル放送の放送波に対して選局復調処理を行う選局復調部と、前記選局復調部による復調後のデータに対して映像処理及び音声処理を行う映像音声処理部と、前記選局復調部及び映像音声処理部を含む、当該デジタル放送受信装置の機能を制御するものであり、不揮発性メモリに格納されたデータをアクセスバスを介して読み出し、読み出したデータに含まれるプログラムを揮発性メモリに格納し、実行するプロセッサとを備え、前記アクセスバスの転送データが、前記選局復調部に取り込めるように構成されており、前記選局復調部は、前記アクセスバスの転送データから、前記選局復調処理に用いるパラメータを認識し、取得する機能を有することを特徴とする。
【００１１】
本発明によると、不揮発性メモリに格納されたデータを読み出している最中に、選局復調処理に用いるパラメータをアクセスバスから取得して設定できるので、プログラムの揮発性メモリへの格納を完了していなくても、選局復調部が選局復調処理を開始できる。したがって、プログラムの揮発性メモリへの格納の完了後に選局復調処理を開始する従来の構成に比べて起動時間を短縮することができる。
【発明の効果】
【００１２】
本発明により、プログラムの揮発性メモリへの格納を完了していなくても、選局復調部が選局復調処理を開始できる。したがって、プログラムの揮発性メモリへの格納の完了後に選局復調処理を開始する従来の構成に比べて起動時間を短縮することができる。
【図面の簡単な説明】
【００１３】
【図１】本発明の実施形態１に係るデジタル放送受信装置の構成を示すブロック図である。
【図２】本発明の実施形態１に係るデジタル放送受信装置の動作を示すフローチャートである。
【図３】実施形態１の変形例１の図１相当図である。
【図４】実施形態２の図１相当図である。
【図５】従来のデジタル放送受信装置の動作を示すフローチャートである。
【発明を実施するための形態】
【００１４】
以下、本発明の実施形態について、図面を参照して説明する。
【００１５】
《実施形態１》
本発明の実施形態１に係るデジタル放送受信装置１００は、図１に示すように、不揮発性メモリ１０１、プロセッサ (processor)としてのマイコン１０２、揮発性メモリ１０３、アンテナ１０４、選局復調部１０５、及び映像／音声処理部１０６を備えている。不揮発性メモリ１０１、マイコン１０２、及び選局復調部１０５は、データ用のアクセスバス１８１ａとアドレス用のアクセスバス１８１ｂとによって接続されている。
【００１６】
不揮発性メモリ１０１は、例えばフラッシュメモリにより構成され、マイコン１０２により実行されるプログラムを含むデータを格納している。
【００１７】
揮発性メモリ１０３は、例えば、ＳＤＲＡＭ（Synchronous Dynamic Random Access Memory）、ＤＤＲ−ＳＤＲＡＭ（Double Data Rate SDRAM）等により構成される。
【００１８】
マイコン１０２は、不揮発性メモリ１０１に格納されたデータをアクセスバス１８１ａを介して読み出し、不揮発性メモリ１０１から読み出したデータに含まれるプログラムを揮発性メモリ１０３に転送して格納する。そしてその後、当該揮発性メモリ１０３に格納したプログラムを実行する。マイコン１０２は、不揮発性メモリ１０１に格納されたデータをアクセスバス１８１ａを介して読み出す際、読み出すデータのアドレスをアクセスバス１８１ｂに出力する。
【００１９】
アンテナ１０４は、デジタル放送の放送波を受信する。
【００２０】
選局復調部１０５は、アンテナ１０４によって受信されたデジタル放送の放送波に対して選局復調処理（搬送波からオーディオ／ビデオデータ、及びその他の付帯情報を含むデジタルデータを取り出す）を行う。また、選局復調部１０５は、アドレスコンパレータ１１１、及び設定部１１２を内蔵している。
【００２１】
アドレスコンパレータ１１１は、マイコン１０２によって出力されたアドレスをアクセスバス１８１ｂから読み出して所定の値と比較することにより、所定の値と一致するアドレスに対応するデータを、アクセスバス１８１ａを介して不揮発性メモリ１０１から読み出されるデータから特定する。そして、特定したデータを設定パラメータとして認識する。なお、上記所定の値は変更可能にしてもよい。
【００２２】
設定部１１２は、アドレスコンパレータ１１１によって認識された設定パラメータをアクセスバス１８１ａから取り込み（取得し）、選局復調部１０５における選局復調処理に用いるパラメータとして設定する。
【００２３】
映像／音声処理部１０６は、選局復調部１０５による復調後のデータに対して映像処理及び音声処理を施して出力する。映像／音声処理部１０６が施す映像／音声処理は、スクランブルの解除、圧縮された映像／音声データの伸張、画質補正等である。
【００２４】
次に、上記のように構成されたデジタル放送受信装置１００の動作について、図２を参照して説明する。
【００２５】
デジタル放送受信装置１００の電源がオンにされると、まず、（Ｓ１００１）においてマイコン１０２が起動し、不揮発性メモリ１０１からプログラムを読み出し（不揮発性メモリ１０１にアクセスし）、命令の実行を開始する。このとき、マイコン１０２以外の機能ブロックは、動作に必要なパラメータの設定がなされていないので、動作を開始しない。
【００２６】
一方、（Ｓ１００２）において、アンテナ１０４が、デジタル放送波を受信する。
【００２７】
そして、マイコン１０２は、（Ｓ１００１）で自らの動作に必要な初期化を完了すると、（Ｓ１００３）において、不揮発性メモリ１０１に格納されているプログラムの揮発性メモリ１０３への転送動作を開始する。この転送動作は、不揮発性メモリ１０１に格納されているデータをアクセスバス１８１ａを介して読み出し、当該読み出したデータに含まれるプログラムを揮発性メモリ１０３に転送して格納するものである。転送動作中、（Ｓ１００９）において、選局復調部１０５のアドレスコンパレータ１１１が、不揮発性メモリ１０１から出力されてアクセスバス１８１ｂに現れる各アドレスを所定の値と比較し、所定の値と一致するアドレスを検出する。そして、アクセスバス１８１ａに現れるデータ群のうち、上記所定の値と一致したアドレスに格納されていたデータを設定パラメータとして認識する。次いで、設定部１１２が、アドレスコンパレータ１１１により認識された設定パラメータをアクセスバス１８１ａから取り込み、選局復調部１０５における選局復調処理に用いるパラメータとして設定する。
【００２８】
（Ｓ１００９）における上記パラメータの設定が完了すると、（Ｓ１００４）において、選局復調部１０５が、アンテナ１０４により受信された放送波に対し、（Ｓ１００９）で設定部１１２により設定されたパラメータを用いて選局復調処理を行う。
【００２９】
一方、マイコン１０２は、揮発性メモリ１０３へのプログラムの転送動作を完了すると、（Ｓ１００５）において、揮発性メモリ１０３に格納したプログラムの実行を開始する。プログラムの実行によりデジタル放送受信装置１００の各部が初期化された後、各部の動作が開始される。なお、ここで完了されるプログラムの転送動作は、すべてのプログラムの転送動作であってもよいし、当面のデジタル放送受信装置１００（システム）の動作に必要なプログラムの転送動作であってもよい。そして、（Ｓ１００６）においてマイコン１０２がプログラムの実行により映像／音声処理部１０６における映像／音声処理に用いるパラメータを設定する。
【００３０】
（Ｓ１００４）における選局復調処理、及び（Ｓ１００６）における映像／音声処理部１０６のパラメータの設定が完了すると、（Ｓ１００７）において、映像／音声処理部１０６が、選局復調部１０５による復調後のデータに対して映像処理及び音声処理を施し、（Ｓ１００８）において処理後の映像データ及び音声データを出力する。
【００３１】
従来のデジタル放送受信装置は、図５に示すように、（Ｓ２００１）でプログラムの転送を完了してプログラムの実行を開始し、（Ｓ２００２）でプログラムの実行により選局復調部１０５に対してパラメータを設定した後でなければ、（Ｓ１００４）の選局復調処理を開始できない。なお、図５において図２と同一の手順は、図２と同一の符号を付してその説明を省略する。
【００３２】
これに対し、本実施形態では、不揮発性メモリ１０１に格納されたデータを読み出している最中に、設定部１１２が選局復調部１０５のパラメータをアクセスバス１８１ａから取り込んで設定する。そして、プログラムの揮発性メモリ１０３への格納が完了する前に、選局復調部１０５が選局復調処理を開始し、（Ｓ１００３）におけるプログラムの転送動作と並行して選局復調処理を行える。したがって、プログラムの揮発性メモリ１０３への格納の完了後に選局復調処理を開始する図５のフローに比べ、起動時間を短縮することができる。
【００３３】
《実施形態１の変形例１》
図３は、本発明の実施形態１の変形例１に係るデジタル放送受信装置１００を示す。本変形例では、図３に示すように、共通のアクセスバス１８１をアドレス、ライトデータ及びリードデータの転送に兼用している。つまり、不揮発性メモリ１０１へのライトデータの書き込み時には、アドレス及びライトデータが共通のアクセスバス１８１を介してシリアルに転送される一方、不揮発性メモリ１０１からのリードデータの読み出し時には、アドレス及びリードデータが共通のアクセスバス１８１を介してシリアルに転送される。
【００３４】
その他の構成は実施形態１と同じであるので、その詳細な説明を省略する。
【００３５】
《実施形態１の変形例２》
本発明の実施形態１の変形例２においては、不揮発性メモリ１０１に、選局復調処理にパラメータとして使用可能なデータが複数組格納されているとともに、各組のデータについてエラーの有無を示すエラーフラグ（エラー情報）が格納される。そして、アドレスコンパレータ１１１は、所定の値と一致するアドレスに対応するデータについて、エラーフラグに基づいてエラーの有無を判定し、エラー有りと判定した場合には、上記所定の値を変更し、変更後の所定の値と一致するアドレスのデータを特定する再特定処理を行う。そして、所定の値と一致するアドレスに対応するデータについてエラー無しと判定するまで上記再特定処理を繰り返し、エラーフラグによりエラー無しと示されたデータを設定パラメータとして認識する。
【００３６】
なお、本変形例では、エラーフラグに基づいてエラーの有無を判定したが、各データが誤り検出用の冗長ビットを含んでいる場合には、この冗長ビットを含むデータ全体（エラー情報）に基づいてエラーの有無を判定してもよい。
【００３７】
《実施形態２》
図４は、本発明の実施形態２に係るデジタル放送受信装置１００を示す。本実施形態のデジタル放送受信装置１００では、映像／音声処理部１０６もアドレスコンパレータ１１１、及び設定部１１２を内蔵する。
【００３８】
この映像／音声処理部１０６に内蔵されたアドレスコンパレータ１１１は、不揮発性メモリ１０１から出力されてアクセスバス１８１ｂに現れる各アドレスを所定の値と比較し、上記所定の値と一致するアドレスに対応するデータを、アクセスバス１８１ａを介して不揮発性メモリ１０１から読み出されるデータから特定し、設定パラメータとして認識する。
【００３９】
また、映像／音声処理部１０６に内蔵された設定部１１２は、アドレスコンパレータ１１１によって認識された設定パラメータをアクセスバス１８１ａから取り込み（取得し）、映像／音声処理部１０６における映像処理又は音声処理に用いるパラメータとして設定する。ここで、映像／音声処理部１０６に内蔵されたアドレスコンパレータ１１１によって認識される設定パラメータは、選局復調部１０５に内蔵されたアドレスコンパレータ１１１によって認識される設定パラメータとは異なるものである。
【００４０】
そして、映像／音声処理部１０６は、内蔵したアドレスコンパレータ１１１により認識された設定パラメータを用いて、選局復調部１０５による復調後のデータに対して映像処理及び音声処理を施して出力する。
【００４１】
その他の構成は実施形態１と同じであるので、その詳細な説明を省略する。
【００４２】
実施形態１では、（Ｓ１００９）における選局復調処理が完了していても、（Ｓ１００６）における映像／音声処理に用いるパラメータの設定が完了していなければ、（Ｓ１００７）の映像／音声処理を開始できない。したがって、選局復調の完了から映像／音声処理の開始までに待ち時間が生じる可能性がある。しかし、本実施形態２によると、不揮発性メモリ１０１に格納されたデータを読み出している最中に、映像／音声処理部１０６の設定部１１２が、パラメータの設定を行うので、プログラムの揮発性メモリ１０３への格納を完了していなくても、映像／音声処理部１０６が映像処理及び音声処理を開始できる。したがって、上記のような待ち時間が生じず、起動時間が長くなることをより確実に防止できる。
【００４３】
なお、上記実施形態１，２及び実施形態１の変形例１，２では、アドレスコンパレータ１１１が、アクセスバス１８１ｂ，１８１に出力されたアドレスに基づいて、選局、復調、映像処理、又は音声処理に用いるパラメータを特定した。しかし、パラメータの特定方法はこれに限らない。例えば、アクセスバス１８１ａ，１８１ｂ，１８１とは異なる信号経路を通過する制御信号が所定の条件を満たしたときにアクセスバス１８１ａ，１８１を通過するデータを、選局、復調、映像処理、又は音声処理に用いるパラメータとして特定するようにしてもよい。また、上記所定の条件は変更可能にしてもよい。
【００４４】
また、上記実施形態１，２及び実施形態１の変形例１，２では、不揮発性メモリ１０１へのライトデータの書き込みと不揮発性メモリ１０１からのリードデータの読み出しとを共通のアクセスバス１８１ａ，１８１を用いて行ったが、別個のアクセスバスを用いて行ってもよい。
【産業上の利用可能性】
【００４５】
本発明に係るデジタル放送受信装置は起動時間を短縮することができるという効果を有し、デジタル放送を受信し、映像及び音声を出力するデジタル放送受信装置として有用である。
【符号の説明】
【００４６】
１００      デジタル放送受信装置 
１０１      不揮発性メモリ 
１０２      マイコン（プロセッサ） 
１０３      揮発性メモリ
１０４      アンテナ 
１０５      選局復調部 
１０６      映像／音声処理部 
１８１ａ，１８１      アクセスバス 
【図１】
2011087124.tif 000003
【図２】
2011087124.tif 000004
【図３】
2011087124.tif 000005
【図４】
2011087124.tif 000006
【図５】
2011087124.tif 000007